(57)【要約】【課題】いつでも夜釣りに対応でき、視認性の衰えない、しかも簡単に製造できる竿の提供。【解決手段】  竿やガイドのタイプの違いによっていくつかの仕様があるので、ここでは、代表的なものを一つ説明する。  糸ガイド１０が支持フレーム脚部１１を介して竿受けリング１２と離れて結合しているタイプのガイド図４で、先端を含めた複数のガイドの上記フレーム間にある遊び空間１３に、反射体１４をその反射面が竿元に向くように取り付け、竿元であたりを待つ釣り人のヘッドライトを効率よく反射させ、竿先全体をよく見えるようにする。【選択図】  図４
2005304457.tif 000002
【特許請求の範囲】
【請求項１】
反射体を、その反射面が竿元に向くように、少なくとも一個又は複数竿本体に取り付け、反射光によって、夜間でもよく見えるようにした釣竿。
【請求項２】
請求項１に記載の釣竿において、先端の反射体を脱着可能にし、残りの反射体を遊動式にして、すべての反射体を取り外し可能にしたことを特徴とする釣竿。
【請求項３】
ガイド式釣竿において、反射体を、その反射面が竿元を向くように、少なくとも一個又は複数のガイド本体に取り付け、反射光によって、夜間でもよく見えるようにした釣竿。
【請求項４】
請求項３に記載の釣竿において、前記ガイドの糸ガイドリングが支持フレームを介して竿受けリングと離れて結合しているタイプであって、反射体をそのフレーム間の遊び空間に取り付けたことを特徴とする釣竿。
【請求項５】
請求項３に記載の釣竿において、前記ガイドの糸ガイドリングが竿受けリングに接近又は隣接しているタイプであって、反射体を前記の糸ガイドリング及び竿受けリングの片方に、又は両方に取り付けたことを特徴とする釣竿。
【発明の詳細な説明】
【技術分野】
【０００１】本発明は、釣竿に間し、詳しくは夜釣り用の釣竿に関する。
【背景技術】
【０００２】一般的に広まっている夜釣りは、竿先の一部にアタッチメントをかえして酸化発光体を取り付け、竿の動きを見てあたりをとる方法である。アタッチメントは両サイドがはめ込み式で一方を竿本体に、反対側に上記発光体を取り付ける。サイズが数種類あり、竿、発光体の太さに応じて使い分ける。  特許文献１【０００３】また、蛍光、蓄光発光体を竿本体に備え付けた竿は、事前にその発光体に光を当て、蓄光させてから使用する。  特許文献２【０００４】反射材系を竿本体の外周面にコーティングした竿もある。  特許文献３【０００５】
【特許文献】  特許文献１  特開２０００−０４１５５３号公報  特許文献２  特開２００４−０５７０６１号公報  特許文献３  特開平０７−１１５８７７号広報
【発明の開示】
【発明が解決しようとする課題】
【０００６】上記酸化発光体は使い捨てで、買い置きの手持ちが無いと、突然の釣行に対応できず、また、糸がらみの原因にもなる。上記発光体を取り付けるアタッチメントはサイズによって竿の取り付け位置が決まってしまい、望みの位置につけることが難しい。【０００７】蛍光、蓄光発光体利用の夜釣りは、発光の持続性に問題があり、じきに見えなくなる。その上、釣り場へ行く途中の、例えば、車のトランクの中や竿ケースの中で発光し、その能力使ってしまうので、再度現場でライトを当て、蓄光させなくてはならないという欠点がある。【０００８】竿本体の外周面にコーティングされた反射材は、竿元には反射しない。【０００９】従って、本発明の目的は、発光体等取り付けの煩わしさがなく、夜間竿先全体が、視認性を落とすこと無くよく見えるようにした釣竿を提供することである。
【課題を解決するための手段】
【００１０】ライト類は夜釣りの必需品である。ほとんどの人はヘッドライトを身に着ける。本発明は、そのヘッドライトの反射光を利用して、上記課題を解決したものである。【００１１】本発明に係わる釣竿は、反射体を、その反射面が竿元に向くように、少なくとも一個又は複数竿本体に取り付け、反射光によって、夜間でもよく見えるようにしたことを特徴とし、又、上記釣竿において、先端の反射体を脱着可能にし、残りの反射体を遊動式にして、すべての反射体を取り外し可能にしたことを特徴とする。【００１２】本発明に係わるガイド式釣竿において、反射体を、その反射面が竿元に向くように、少なくとも一個又は複数のガイド本体に取り付け、夜間でもよく見えるようにしたことを特徴とし、又、上記釣竿において、前記ガイドの糸ガイドリングが支持フレームを介して竿受けリングと離れて結合しているタイプであって、前記反射体をそのフレーム間にある遊び空間に取り付けたことを特徴とする。更に、上記釣竿において、前記ガイドの糸ガイドリングが竿受けリングに接近又は隣接しているタイプであって、反射体を前記の糸ガイドリング及び竿受けリングの片方に、又は両方に取り付けたことを特徴とする。
【発明の効果】
【００１３】以上のように、本発明の釣竿は、反射体の反射面を竿元に向けることによって、竿元であたりを待つ釣り人のヘッドライトから放たれた光を、効率よく反射させ、視認性を高める。バッテリーがある限りいつまでも変わらない視認性を発揮する。竿先より点々と反射体が光ることによって、竿先の曲がり具合や動きが手に取るようにわかるようになった。更に言えば、短４乾電池３本で１５０時間点燈可能なＬＥＤライトでも十分な視認性を得られるので、経済的になった。【００１４】夜釣り用といっても昼間も従来とまったく変わらずに使へ、使い捨てではないので、ごみとして捨てられることもなく、環境にやさしい。竿と一体となっているので、取り付けのわずらわしさや、すっぽ抜けて紛失という危険もなくなった。
【実施例１】
【００１５】本発明は、竿の先端又はその近くに、反射体を単独で取り付けても、目的を達することができるが、より高い性能を得るには複数の取り付けが望ましい。図１は、その複数の反射体のおおよその数とおおよその取り付け位置を示した竿さきの全体図である。【００１６】ガイド無し竿（中通し竿等）の場合には、竿の先端１から竿元にかけて、図２に示すごとく、反射材でコーティングされたリング状３又はその変形４の反射体複数を、竿本体に通して、図１のごとく間隔を置いて取り付ける。おのずと一反射面が竿元を向く。並継ぎ竿の場合は、上記反射体を竿本体に固定し、振り出し竿には、竿の先端１もしくは二番竿の先端２（たくさん取り付ける場合）を除き遊動式にして、しまえるようにする。【００１７】次に、反射体全部を取り外し可能にした釣竿について説明する。図３Ａでは、竿先を保護する補強管を雄ネジ６にし、反射体内径部を雌ネジ７にしてネジ式にして、脱着可能にする。残りの反射体はすべて遊動式とし、すべての反射体を取り外すことができる。また、図３Ｂでは、一部の外周面に沿って突起をつけた補強管８に、内周面中央に沿って溝を掘った反射体９をはめ込み式にして脱着可能にする。これは竿先のみの場合に有効である。そうすることによって長期間夜釣りをしない場合は、上記反射体を取り外して、別に保管することができる。これは、並継ぎ竿、振り出し竿双方に対応する。なお、反射体は接合面を除いて反射材が全面にコーティングされているので、逆につけても問題はない。
【実施例２】
【００１８】ガイド式竿の場合：一般的な竿のガイド位置は竿先に近くなるほど間隔が狭まっている。この間隔を持つガイドは、竿先全体の曲がりを見るうえでの反射体取り付け位置としても、また、構造上取り付ける反射体の反射面が竿元（釣り人）に向くという意味でも、最適である。以下、反射体を二つのタイプのガイドに取り付けた実施の形態について、図４及び図５を参照して説明する。【００１９】図４は、糸ガイドリングが支持フレームを介して竿受けリングと離れて結合しているタイプのガイドへの反射体取り付け例で、糸ガイドリング１０と竿受けリング１２を支持するフレーム１１間の遊び空間１３に反射体１４をはめ込み一体とする。又はフレーム自体を反射体に埋め込み一体とする。竿先に行くほど空間自体も小さくなるので、糸がらみ等の機能低下をさせない範囲で、反射体１４は空間１３をはみ出してもかまわない。形状は遊び空間の形から台形や四角形が好ましいが、決まったものではない。反射体１４に厚みを持たせることによって、側面への反射も可能になる。【００２０】糸ガイドリング１０が竿受けリング１２に燐接しているタイプには、図５に示したごとく様々な形態がある。図５Ａは、糸ガイド部分に糸ガイドを兼ねたリング状反射体５をリングフレーム１５内に納めたもので、図５Ｂは、そのフレーム１５の竿元側あるいは全体を、被うような形にしたものである。図５Ｃは、竿受けリングそのものの竿元側あるいは全体を、反射面を大きくするために膨らませて反射材でコーティングした反射体で、竿受け機能を兼ねる。又は図２で示した反射体３あるいは４を従来の竿受けリングに取り付けても良い。以上様々な形態を示したが、これらを組み合わせて、さらに視認性を高めることができる。【００２１】上記二つのタイプのガイドに取り付けた反射体は、ガイドと一体となっているので、並継ぎ竿、振り出し竿双方に対応する。【００２２】なほ、ガイドの形状によってガイド本体に取り付けられない場合に、あるいは好みによっては、図２の反射体３又は４をガイド式釣竿本体に取り付けることも出来る。
この場合も並継ぎ、振り出し双方に対応する。ただし、これは請求項１にかかる本発明の範囲内に属するものである。【００２３】反射体は、必ずしも竿に対して直角とは限らず、ある程度上下しても十分機能する。反射材はガラスビーズを使用したものが一番と思われるが、他にもっと良いものがあれば、その限りではない。製造方法も簡単で、難しい技術は必要としない。
【図面の簡単な説明】
【００２４】
【図１】反射体のおおよその取り付け位置と数を示した竿上部の全体図である。
【図２】リング状及び変形リング状反射体の竿への取り付け図である。
【図３】取り外し可能な竿先端の反射体の断面図とそれを受ける先端補強管の仕様図である。
【図４】糸ガイドと竿受けリングが離れているタイプのガイド及びその遊び空間に取り付ける反射体の正面図と、それが取り付けられた竿の側面図である。
【図５】糸ガイドと竿受けリングが隣接するタイプのガイドへの反射体の取り付け図で、竿元側から見た正面図と側面図である。
【符号の説明】
【００２５】  １  竿の先端
２  二番竿の先端
３  リング状反射体
４  変形リング状反射体
５  糸ガイドを兼ねたリング状反射体
６  雄ネジ先端補強管
７  雌ネジ付き反射体
８  突起付き先端補強管
９  内周面に溝を掘った反射体
１０  糸ガイドリング
１１  支持フレーム
１２  竿受けリング
１３  遊び空間
１４  遊び空間へ取り付ける反射体
１５  リングフレーム（糸ガイド用）
１６  竿受け兼反射体
１７  リングフレーム（竿受け用）
【図１】
2005304457.tif 000003
【図２】
2005304457.tif 000004
【図３】
2005304457.tif 000005
【図４】
2005304457.tif 000006
【図５】
2005304457.tif 000007